(57)【特許請求の範囲】
【請求項１】
被印字媒体を搬送する搬送手段、及び、前記搬送手段により搬送される前記被印字媒体に所望の印字を形成する印字手段、を含む複数の動作機構と、
前記複数の動作機構のうち少なくとも１つに備えられた負荷回路と、
電源電圧が供給される入力部を備え、前記負荷回路への電圧供給を制御する制御回路と、
電圧を供給可能な外部電源装置の給電端子が接続される受電端子と、
前記受電端子と前記入力部との間に接続され、外部から入力される第１制御信号により導通・遮断が切り替わる第１スイッチ素子を備えた第１切替回路と、
電池が収納される電池収納部と、
前記電池収納部と前記入力部との間に接続され、外部から入力される第２制御信号により導通・遮断が切り替わる第２スイッチ素子を備えた第２切替回路と、
外部から入力される第３制御信号により直圧導通・昇圧導通を切り替えるための昇圧切り替え端子を備えるとともに、前記第２切替回路と前記入力部との間に接続され、前記電池収納部に収納された前記電池からの端子電圧を昇圧する昇圧回路と、
入力される操作信号に応じて、前記第１スイッチ素子が導通状態となる、予め定められた通常印刷速度による通常印刷モード、又は、前記第１スイッチ素子が遮断状態、前記第２スイッチ素子が導通状態、前記昇圧回路が直圧導通状態となる、前記通常印刷速度よりも速い印刷速度による高速印刷モード、を選択的に実行するように、前記第１〜第３制御信号を出力する制御手段と、
を有し、
前記制御手段は、
前記通常印刷モードの状態で所定の前記操作信号が入力されたことを契機に前記高速印刷モードに切り替えた後、所定単位の前記被印字媒体に対する印字形成が終了したら、前記通常印刷モードに復帰させる
ことを特徴とする印刷装置。
【請求項２】
請求項１記載の印刷装置において、
前記電池収納部に収納された前記電池の消耗度を検出する検出手段を有し、
前記制御手段は、また、
前記通常印刷モードの状態で所定の前記操作信号が入力されたことを契機に前記高速印刷モードに切り替えた後、前記検出手段が検出する前記電池の消耗度が所定のしきい値に達したら、前記通常印刷モードに復帰させる
ことを特徴とする印刷装置。
【発明の詳細な説明】
【技術分野】
【０００１】
本発明は、被印字媒体に印刷を行う印刷装置に関する。
【背景技術】
【０００２】
従来、ＡＣアダプタを介した外部電源装置からの電源供給と、電池からの電源供給と、のいずれもが可能である印刷装置が既に知られている（例えば、特許文献１参照）。
【先行技術文献】
【特許文献】
【０００３】
【特許文献１】特開平３−１５２３４号公報
【発明の概要】
【発明が解決しようとする課題】
【０００４】
しかしながら、上記従来技術においては、ＡＣアダプタが装着されると、電池からの電源供給から、ＡＣアダプタを介した外部電源装置からの電源供給へと自動的に切り替わる。また、ＡＣアダプタが取り外されると、ＡＣアダプタを介した外部電源装置からの電源供給から、電池からの電源供給へと自動的に切り替わる。すなわち、電池からの電源供給と外部電源装置からの電源供給とが独立して制御されるものではない結果、操作者にとっての利便性の観点からは、必ずしも十分なものとは言えなかった。
【０００５】
本発明の目的は、電池からの電源供給と外部電源装置からの電源供給とを独立して制御可能とし、操作者にとっての利便性を向上できる印刷装置を提供することにある。
【課題を解決するための手段】
【０００６】
上記目的を達成するために、本願発明は、被印字媒体を搬送する搬送手段、及び、前記搬送手段により搬送される前記被印字媒体に所望の印字を形成する印字手段、を含む複数の動作機構と、前記複数の動作機構のうち少なくとも１つに備えられた負荷回路と、電源電圧が供給される入力部を備え、前記負荷回路への電圧供給を制御する制御回路と、電圧を供給可能な外部電源装置の給電端子が接続される受電端子と、前記受電端子と前記入力部との間に接続され、外部から入力される第１制御信号により導通・遮断が切り替わる第１スイッチ素子を備えた第１切替回路と、電池が収納される電池収納部と、前記電池収納部と前記入力部との間に接続され、外部から入力される第２制御信号により導通・遮断が切り替わる第２スイッチ素子を備えた第２切替回路と、外部から入力される第３制御信号により直圧導通・昇圧導通を切り替えるための昇圧切り替え端子を備えるとともに、前記第２切替回路と前記入力部との間に接続され、前記電池収納部に収納された前記電池からの端子電圧を昇圧する昇圧回路と、入力される操作信号に応じて、前記第１スイッチ素子が導通状態となる、予め定められた通常印刷速度による通常印刷モード、又は、前記第１スイッチ素子が遮断状態、前記第２スイッチ素子が導通状態、前記昇圧回路が直圧導通状態となる、前記通常印刷速度よりも速い印刷速度による高速印刷モード、を選択的に実行するように、前記第１〜第３制御信号を出力する制御手段と、を有し、前記制御手段は、前記通常印刷モードの状態で所定の前記操作信号が入力されたことを契機に前記高速印刷モードに切り替えた後、所定単位の前記被印字媒体に対する印字形成が終了したら、前記通常印刷モードに復帰させることを特徴とする。
【０００７】
本願発明の印刷装置では、搬送手段や印字手段等の動作機構に備えられる負荷回路に対し、外部電源装置からの電源供給と、電池収納部に収納した電池からの電源供給と、のいずれもが可能である。
【０００８】
そして、これら２つの電源供給経路に対し、第１切替回路及び第２切替回路がそれぞれ設けられている。すなわち、上記外部電源装置の給電端子が接続される受電端子と負荷回路への電圧供給を制御する制御回路の入力部との間に、第１切替回路が設けられる。同様に、電池が収納される上記電池収納部と上記制御回路の上記入力部との間に、第２切替回路が設けられる。
【０００９】
このとき、上記第１切替回路には第１スイッチ素子が備えられており、この第１スイッチ素子は、外部から入力される第１制御信号によって導通・遮断を切り替え可能である。同様に、上記第２切替回路には第２スイッチ素子が備えられており、この第２スイッチ素子は、外部から入力される第２制御信号によって導通・遮断を切り替え可能である。
【００１０】
これにより、電池からの電源供給と外部電源装置からの電源供給とを独立して制御することができる。すなわち例えば、外部電源装置が接続されかつ電池収納部に電池が収納された状態では、外部電源装置からの給電を優先し、その後、高速印刷の実行が指示された場合（あるいは外部電源装置の給電端子が抜かれた場合）には、電池収納部の電池からの給電を優先するよう切り替える、等が可能となる。以上の結果、操作者にとっての利便性を向上することができる。
【発明の効果】
【００１１】
本発明によれば、電池からの電源供給と外部電源装置からの電源供給とを独立して制御することができる。その結果、操作者にとっての利便性を向上できる
【図面の簡単な説明】
【００１２】
【図１】本発明の一実施形態の携帯型プリンタの外観構成を表す斜視図である。
【図２】携帯型プリンタの内部構造を表す図１中ＩＩ−ＩＩ断面による側断面図である。
【図３】ＡＣアダプタ及び携帯型プリンタの電気的構成を表す回路図である。
【図４】２つの印刷モード実行時における第１〜第３制御信号の態様を表すテーブルである。
【図５】ＣＰＵにより実行される制御手順を表すフローチャートである。
【図６】ステップＳ３０の詳細手順を表すフローチャートである。
【図７】電池消耗度に応じて通常印刷モードへ復帰させる変形例において、ＣＰＵにより実行される制御手順を表すフローチャートである。
【発明を実施するための形態】
【００１３】
以下、本発明の一実施の形態を図面を参照しつつ説明する。本実施形態は、本発明を、印刷装置としての携帯型プリンタに適用した場合の実施形態である。
【００１４】
図１、図２を用いて、本実施形態の携帯型プリンタ１の外観構成及び内部構造について説明する。以下では、図１中左下方向を前方、図１中の右上方向を後方、図１中の左上方向を左方、図１中の右下方向を右方として説明する。また、以下の説明において各部品について前後左右上下の各方向をいうときは、当該各部品が携帯型プリンタ１に取り付けられた状態での各方向に対応させて説明する。
【００１５】
＜全体構成＞
図１〜図２において、携帯型プリンタ１は、例えばＰＣ端末や携帯電話等の外部機器（図示省略）より有線通信あるいは無線通信を介して受信した印刷データを、種々の被印字媒体Ｓに印刷する。この携帯型プリンタ１は、樹脂材料で構成された、装置外郭を構成する略直方体形状のハウジング１０と、シャーシ組立体（図示省略）とを組み付けることによって、概略組み立てられる。
【００１６】
ハウジング１０は、装置外郭上部を構成するトップカバー１１と、装置外郭下部を構成するアンダーカバー１５と、トップカバー１１の上面前方側に開閉可能に設けられたカバー部材１３とを備えている。
【００１７】
ハウジング１０内には、搬送手段としてのプラテンローラ１１１（動作機構の一例に相当）と、印字手段としてのサーマルラインヘッド１１２（動作機構の一例に相当）とが設けられている。サーマルラインヘッド１１２は、後方側端部に軸部材１１３を備えた放熱板１１４上に設けられており、この放熱板１１４はサイドシャーシ部材（図示省略）により軸部材１１３を中心に回動可能に支持されている。また、アンダーカバー１５の内表面に設けられたメインシャーシ部材１５０には、上記サーマルラインヘッド１１２を支持する放熱板１１４をプラテンローラ１１１側に回動付勢する複数のコイルバネ１１５が設けられている。これにより、サーマルラインヘッド１１２は上記プラテンローラ１１１に圧接可能となっている。
【００１８】
ハウジング１０の後方側には、電池（図示省略）を備えたバッテリユニットＢＴを収容するバッテリ収納室１０５が設けられており、このバッテリ収納室１０５にはバッテリ室カバー１７０が着脱可能に設けられている。当該バッテリ室カバー１７０を取り外した状態では、上記バッテリ収納室１０５がハウジング１００の背面部分に開口する。
【００１９】
シャーシ組立体（図示省略）は、アンダーカバー１５の内表面に設けられた、シャーシ組立体（図示省略）の底部を構成する上記メインシャーシ部材１５０と、このメインシャーシ部材１５０の長手方向両側端部より立設される一対の上記サイドシャーシ部材（図示省略）とを備えている。サイドシャーシ部材は、軸孔（図示省略）にプラテンローラ１１１の軸部材（図示省略）を挿通することにより、プラテンローラ１１１を回転可能に支持している。プラテンローラ１１１は、駆動モータ５３（後述する図３参照）により回転駆動されることで被印字媒体Ｓを搬送する。またサイドシャーシ部材は、サーマルラインヘッド１１２を備えた放熱板１１４を、前述した軸部材１１３を介して回動可能に支持している。
【００２０】
左側のサイドシャーシ部材には、プラテンローラ１１１を駆動する上記駆動モータ５３と、この駆動モータ５３の駆動力をプラテンローラ１１１の上記軸部材に伝達する、複数のギアからなるギア機構（図示省略）が設けられている。
【００２１】
また、上記サイドシャーシ部材の上部には、ビーム部材（図示省略）が架け渡され、ネジにより固定されている。そして、挿入口１４（導入口）から投入された被印字媒体Ｓをプラテンローラ１１１とサーマルラインヘッド１１２との圧接部Ｐに案内するガイド部材１２が、ハウジング１０を構成するトップカバー１１、アンダーカバー１５、及びカバー部材１３とは分離された別体として構成されており、上記ビーム部材に固定されることによって、サイドシャーシ部材に設けられている。なお、挿入口１４は、ガイド部材１２とカバー部材１３との間の圧接部Ｐに導く隙間によって略スリット状に形成されており、被印字媒体Ｓの最大幅サイズに対応可能な大きさとなっている。
【００２２】
ガイド部材１２は、その上部に、シャーシ組立体（図示省略）への組み付け時に略水平となる水平面と、この水平面から装置内部側に向けて傾斜した傾斜面とを有している。これら水平面及び傾斜面上には、被印字媒体Ｓの案内方向に沿って形成された複数のリブ部が、長手方向に並列して設けられている。
【００２３】
＜概略動作＞
上記構成において、印刷時には、カバー部材１３を閉じた状態でトップカバー１１とカバー部材１３との間に形成された上記挿入口１４に上記被印字媒体Ｓが投入される。投入された被印字媒体Ｓは、挿入口１４の下方に設けられたガイド部材１２により、プラテンローラ１１１とサーマルラインヘッド１１２との圧接部Ｐに案内される。プラテンローラ１１１は所定の圧接力で被印字媒体Ｓに接触し、被印字媒体Ｓを搬送する。この搬送される被印字媒体Ｓに対し、サーマルラインヘッド１１２が所望の印刷を行う。印刷完了後に、被印字媒体Ｓは、カバー部材１３とアンダーカバー１５との間に形成された排出口１７より排出される。このとき、被印字媒体Ｓの排出口１７への搬送経路の途中（例えば挿入口１４寄り）に、用紙検出センサＳｅが設けられている。この用紙検出センサＳｅの検出結果に基づきプラテンローラ１１１による搬送制御と、サーマルラインヘッド１１２による印刷制御が行われる。なお、紙詰まり等が生じた場合には、カバー部材１３を開放することで、サーマルラインヘッド１１２からプラテンローラ１１１がリリースされ、容易に被印字媒体Ｓを引き出すことが可能となる。
【００２４】
また、ハウジング１０上部のトップカバー１１左方側には、後方から順に、用紙送り操作を行うためのフィードキー２０と、電源のオン・オフ操作を行うための電源キー３０と、後述する印刷速度のモード切替を行うためのモード切替ボタン４０とを備えている（なお、モード切替は別途接続されるパソコン等から行ってもよい）。
【００２５】
＜回路構成＞
次に、本実施形態の特徴である、携帯型プリンタ１の回路構成を図３により説明する。本実施形態の携帯型プリンタ１は、図３に示すように、ＡＣアダプタ３４を介した外部電源装置（図示せず）からの電源供給（但し図３では携帯型プリンタ１からＡＣアダプタ３４が取り外された状態を示している）と、電池収納部１０５に収納された電池ＢＴからの電源供給と、のいずれもが可能である。
【００２６】
＜回路概要＞
すなわち、携帯型プリンタ１には、複数（この例では６本）の電池ＢＴをそれぞれ収容する上記電池収納部１０５と、第１スイッチング回路Ｇ１（第１切替回路に相当）、第２スイッチング回路Ｇ２（第２切替回路に相当）、第３スイッチング回路Ｇ３と、定電圧（この例では３．３ＶＢ）を出力可能な定電圧回路（リニアレギュレータ。各請求項記載の入力部に相当）５１と、例えばマイコン等から構成され所定の演算を行うＣＰＵ５２（制御手段に相当）と、コイル（負荷回路の一例に相当。図示せず）を備えた駆動モータ５３と、駆動モータ５３に接続された駆動回路５４と、複数の発熱素子（負荷回路の一例に相当。図示せず）を備えた上記サーマルラインヘッド１１２と、上記ＣＰＵ５２に接続された複数の発光ダイオードからなるＬＥＤ９と、上記ＣＰＵ５２に接続されデータを記憶可能なＥＥＰＲＯＭ５５と、が設けられている。
【００２７】
＜電池収納部＞
電池収納部１０５には、上記電池ＢＴが直列状態収容される。これら直列６個の電池ＢＴの陰極側は接地される。また、それら直列６個の電池ＢＴの陽極側は、第２スイッチング素子１０２を備えた上記第２スイッチング回路Ｇ２に接続されている。
【００２８】
＜ＡＣアダプタ＞
一方、上記外部電源装置からの電源供給を行うための上記ＡＣアダプタ３４は、電圧を供給可能な上記外部電源装置のＡＣコンセント（図示せず）側に接続されるＡＣプラグ３４Ｃと、ＡＣプラグ３４Ｃと接続された電圧変換部３４Ｄと、電圧変換部３４Ｄと接続され、所定の電圧（この例では１５Ｖ）が供給されるＤＣプラグ３４Ｅ（給電端子に相当）とを有する。ＤＣプラグ３４Ｅは、負極側の第１端子３４Ａと、正極側の第２端子３４Ｂとを有する。
【００２９】
＜ＤＣジャック＞
上記に対応し、携帯型プリンタ１には、上記ＤＣプラグ３４Ｅが接続可能なＤＣジャック３３（受電端子に相当）が備えられている。ＤＣジャック３３は、ＤＣプラグ３４Ｅの第１端子３４Ａが接続されると共に負極側母線が接続された負極側の第１端子３３Ａと、ＤＣプラグ３４Ｅの第２端子３４Ｂが接続されると共に正極側母線が接続された正極側の第２端子３３Ｂとを有する。なお、第１端子３３Ａは、逆流防止ダイオード３３Ｃを介して接地され、第２端子３３Ｂは、上記第１スイッチング回路Ｇ１に接続されている。
【００３０】
＜第１スイッチング回路＞
上記第１スイッチング回路Ｇ１は、上記ＣＰＵ５２から入力される第１制御信号Ｓ１により導通・遮断が切り替わるＰチャンネル型のＭＯＳＦＥＴ１０１（第１スイッチ素子に相当）と、ｎｐｎ型のトランジスタＴｒ１と、抵抗Ｒ１，Ｒ２，Ｒ３，Ｒ４と、から構成されている。
【００３１】
第１スイッチ素子１０１のソース側には、上記ＤＣジャック３３の第２端子３３Ｂが接続されている。
【００３２】
第１スイッチ素子１０１のドレイン側は、逆流防止ダイオード５０Ａを介して、上記定電圧回路５１、上記駆動モータ５３、及び上記サーマルラインヘッド１１２が負荷となる、電源側ラインＶＨに接続されている。
【００３３】
第１スイッチ素子１０１のソース側は、抵抗Ｒ１を介して第１スイッチ素子１０１のゲート側にも接続されている。このとき、第１スイッチ素子１０１のゲート側は抵抗Ｒ２を介してトランジスタＴｒ１のコレクタ側に接続されている。トランジスタＴｒ１のエミッタ側は接地されており、トランジスタＴｒ１のベース側とエミッタ側（接地側）とを接続するように抵抗Ｒ４が設けられている。さらに、トランジスタＴｒ１のベース側は、抵抗Ｒ３を介してＣＰＵ５２の第１汎用出力ポートに接続されることで、上記第１制御信号Ｓ１の経路が形成されている。
【００３４】
なお、第１スイッチ素子１０１のソース側は、分圧回路１０４Ａを通じてＣＰＵ５２のＡＤ変換入力ポートにも接続され、検出電圧ＶＡ（アダプタ電圧）がＣＰＵ５２に入力される。
【００３５】
＜第２スイッチング回路Ｇ２＞
上記第２スイッチング回路Ｇ２は、上記第１スイッチング回路Ｇ１と同等の構成であり、上記ＣＰＵ５２から入力される第２制御信号Ｓ２により導通・遮断が切り替わるＰチャンネル型のＭＯＳＦＥＴ１０２（第２スイッチ素子に相当）と、ｎｐｎ型のトランジスタＴｒ１と、抵抗Ｒ１，Ｒ２，Ｒ３，Ｒ４と、から構成されている。
【００３６】
第２スイッチ素子１０２のソース側には、上記電池ＢＴの陽極側が接続されている。第２スイッチ素子１０２のドレイン側は、昇圧回路１０３に接続されている。
【００３７】
第２スイッチ素子１０２のソース側は、上記第１スイッチ素子１０１と同様、抵抗Ｒ１を介して第２スイッチ素子１０２のゲート側にも接続され、さらに抵抗Ｒ２を介してトランジスタＴｒのコレクタ側に接続されている。トランジスタＴｒ１のエミッタ側は接地され、ベース側とエミッタ側（接地側）とを接続するように抵抗Ｒ４が設けられている。さらに、トランジスタＴｒ１のベース側は抵抗Ｒ３を介して、ＣＰＵ５２の第２汎用出力ポートに接続されることで、上記第２制御信号Ｓ２の経路が形成されている。
【００３８】
なお、第２スイッチ素子１０２のソース側は、分圧回路１０４Ｂを通じてＣＰＵ５２のＡＤ変換入力ポートに接続され、検出電圧ＶＢ（バッテリ電圧）がＣＰＵ５２に入力される。
【００３９】
＜昇圧回路＞
上記昇圧回路１０３は、上記電池収納部１０５に収納された上記電池ＢＴからの端子電圧を、所定の電圧（この例では１５Ｖ）まで昇圧する。この昇圧回路１０３の負荷側は、逆流防止ダイオード５０Ｂを介して、上記電源側ラインＶＨに接続されている。この結果、上記第１スイッチング回路Ｇ１の負荷側と、昇圧回路１０３の負荷側とは、上記逆流防止ダイオード５０Ａ，５０Ｂを介して電気的にＯＲ接続となって、上記電源側ラインＶＨに接続されることとなる。
【００４０】
＜第１スイッチング回路Ｇ１、第２スイッチング回路Ｇ２、昇圧回路の動作＞
次に、上記構成の第１スイッチング回路Ｇ１及び第２スイッチング回路Ｇ２の動作について説明する。本実施形態では、第１スイッチ素子１０１及び第２スイッチ素子１０２のゲート電圧に係わるしきい値が、例えば１．０［Ｖ］（又は−１．０［Ｖ］）に設定されており、ゲート電圧ＶＧＳ（第１〜第２スイッチ素子１０１〜１０２のソース側から見たゲート電圧）がこの電圧を超えると、第１スイッチ素子１０１及び第２スイッチ素子１０２が導通状態となる。本実施形態では、上述のＰチャンネル型の第１スイッチ素子１０１及び第２スイッチ素子１０２を、ＣＰＵ５２の上記第１及び第２汎用出力ポートからの高レベル信号Ｈ又は低レベル信号Ｌで切り替えることにより、第１スイッチング回路Ｇ１と第２スイッチング回路Ｇ２の導通・遮断を切り替える。
【００４１】
すなわち、第１スイッチング回路Ｇ１は、ＣＰＵ５２の第１汎用出力ポートからの上記第１制御信号Ｓ１が高レベル信号Ｈのときには、トランジスタＴｒ１がＯＮ状態となる。これにより、第１スイッチ素子１０１のゲート電圧ＶＧＳが、上記しきい値−１．０［Ｖ］を超える値（例えば−１．６［Ｖ］）となり、第１スイッチ素子１０１は導通状態となる。一方、ＣＰＵ５２の第１汎用出力ポートからの上記第１制御信号Ｓ１が低レベル信号Ｌのときには、第１スイッチング回路Ｇ１は、トランジスタＴｒ１がＯＦＦ状態となって第１スイッチ素子１０１のゲート電圧ＶＧＳが０［Ｖ］となり、第１スイッチ素子１０１は非導通状態となる。
【００４２】
また、第２スイッチング回路Ｇ２も同様にして、ＣＰＵ５２の第２汎用出力ポートからの上記第２制御信号Ｓ２が高レベル信号Ｈのときには、トランジスタＴｒ１がＯＮ状態となる。これにより、第２スイッチ素子１０２のゲート電圧ＶＧＳが、上記しきい値−１．０［Ｖ］を超える値（例えば−１．６［Ｖ］）となり、第２スイッチ素子１０２は導通状態となる。一方、ＣＰＵ５２の第２汎用出力ポートからの上記第１制御信号Ｓ２が低レベル信号Ｌのときには、第２スイッチング回路Ｇ２は、トランジスタＴｒ１がＯＦＦ状態となって第２スイッチ素子１０２のゲート電圧ＶＧＳが０［Ｖ］となり、第２スイッチ素子１０２は非導通状態となる。
【００４３】
一方、昇圧回路１０３は、直圧導通・昇圧導通を切り替えるための昇圧切り替え端子（イネーブル入力）を備えている。ＣＰＵ５２の第３汎用出力ポートからの上記第３制御信号Ｓ３が高レベル信号Ｈのときには昇圧導通状態に切り替えられ、上記電池ＢＴからの端子電圧を上記１５Ｖまで昇圧し、逆流防止ダイオード５０Ｂ側へ供給する。ＣＰＵ５２の第３汎用出力ポートからの上記第３制御信号Ｓ３が低レベル信号Ｌのときには直圧導通状態に切り替えられ、上記電池ＢＴからの端子電圧を（昇圧することなく）そのまま逆流防止ダイオード５０Ｂ側へ供給する。
【００４４】
＜第３スイッチング回路Ｇ３＞
一方、第３スイッチング回路Ｇ３は、Ｖｃｃ電源のオン・オフを切り替える回路であり、トランジスタＴｒ４，Ｔｒ５及び抵抗Ｒ１１〜１４を備えている。トランジスタＴｒ４のベース側は抵抗Ｒ１４を介しＣＰＵ５２に接続されており、トランジスタＴｒ４のベース側とエミッタ側（接地側）とを接続するように抵抗Ｒ１３が設けられている。またトランジスタＴｒ４のコレクタ側に、抵抗Ｒ１２を介しトランジスタＴｒ５のベース側が接続されており、トランジスタＴｒ５のエミッタ側はＣＰＵ５２のＶｄｄ端子に接続されている。またトランジスタＴｒ５のエミッタ側とベース側とは抵抗Ｒ１１を介して接続され、トランジスタＴｒ５のコレクタ側が所定電圧（３．３Ｖｃｃ）の出力端となり、上記ＬＥＤ９及び上記ＥＥＰＲＯＭ５５に接続されている。
【００４５】
上記構成の第３スイッチング回路Ｇ３において、ＣＰＵ５２からのＯＮ／ＯＦＦ制御信号により、トランジスタＴｒ２及びトランジスタＴｒ１がＯＮ又はＯＦＦに切り替えられることで、ＬＥＤ９及びＥＥＰＲＯＭ５５への給電が制御される。
【００４６】
なお、上記ＬＥＤ９、定電圧回路５１、ＣＰＵ５２、ＥＥＰＲＯＭ５５、第３スイッチング回路Ｇ３が、各請求項記載の制御回路に相当する。
【００４７】
＜２つのモードの切替＞
以上のように、本実施形態の携帯型プリンタ１おいては、上記第１スイッチング回路Ｇ１には第１スイッチ素子１０１が備えられており、この第１スイッチ素子１０１は、外部から入力される第１制御信号Ｓ１によって導通・遮断を切り替え可能である。同様に、上記第２スイッチング回路Ｇ２には第２スイッチ素子１０２が備えられており、この第２スイッチ素子１０２は、外部から入力される第２制御信号Ｓ２によって導通・遮断を切り替え可能である。また、ＡＣアダプタ３４には、短絡時などの安全性を考慮した電流制限回路が備えられる。一方、電池ＢＴは、許容出力電流の大きな２次電池が用いられている。これを利用して、携帯型プリンタ１においては、上記ＡＣアダプタ３４を介した上記外部電源装置からのより大きな電力によって（予め定められた）通常印刷速度により印刷を行う通常印刷モードと、上記電池ＢＴからの電力によって上記通常印刷速度よりも速い印刷速度で印刷を行う高速モードと、の２つのモードを切り替えて印刷を行うことができる。なお、このモード切替は、例えば前述のモード切替ボタン４０が操作され、対応する操作信号が上記ＣＰＵ５２に入力されたのに応じて（あるいは外部のパソコン（ＰＣ）からの操作等によりＣＰＵ５２に入力される操作信号に応じて）、ＣＰＵ５２が上記第１〜第３制御信号Ｓ１〜Ｓ３を出力することによって、実行される。
【００４８】
＜通常印刷モード＞
すなわち、図４に示すように、上記通常印刷モードの実行時には、ＣＰＵ５２の出力する上記第１制御信号Ｓ１が高レベル信号Ｈとなることで上記第１スイッチング回路Ｇ１の第１スイッチ素子１０１が導通状態となる一方、上記第２制御信号Ｓ２が低レベル信号Ｌとなることで上記第２スイッチング回路Ｇ２の上記第２スイッチ素子１０２が遮断状態となり、上記第３制御信号Ｓ３が低レベル信号Ｌとなることで上記昇圧回路１０３が直圧導通状態となる。この結果、上記外部電源装置から供給されＡＣアダプタ３４の電圧変換部３４Ｄに変換された１５Ｖの電圧が、ＤＣジャック３３、第１スイッチング回路Ｇ１、逆流防止ダイオード５０Ａを介して、定電圧回路５１、駆動モータ５３、サーマルラインヘッド１１２等に供給され、上記通常印刷モードよる印刷が実行される。なお、本実施形態においては、ＡＣアダプタ３４が装着されている場合には、電池収納部１０５に電池ＢＴが収納されている・いないを問わず、原則（ボタン４０により高速印刷モードへの切替指示があった場合等の例外を除き）、ＣＰＵ５２によって、この通常印刷モードが優先的に実行される。
【００４９】
＜高速印刷モード＞
また、上記高速印刷モードの実行時には、ＣＰＵ５２の出力する上記第１制御信号Ｓ１が低レベル信号Ｌとなることで上記第１スイッチング回路Ｇ１の第１スイッチ素子１０１が遮断状態となる一方、上記第２制御信号Ｓ２が高レベル信号Ｈとなることで上記第２スイッチング回路Ｇ２の上記第２スイッチ素子１０２が導通状態となり、上記第３制御信号Ｓ３が高レベル信号Ｈとなることで上記昇圧回路１０３が昇圧導通状態となる。この結果、上記電池収納部１０５の電池ＢＴから供給された７．２Ｖの電圧が第２スイッチング回路Ｇ２を経て昇圧回路１０３で１５Ｖに昇圧された後、逆流防止ダイオード５０Ｂを介して、定電圧回路５１、駆動モータ５３、サーマルラインヘッド１１２等に供給され、上記高速印刷モードよる印刷が実行される。なお、本実施形態においては、ＡＣアダプタ３４が装着されていない状態で電池収納部１０５に電池ＢＴが収納されている場合には、ＣＰＵ５２によってこの高速印刷モードが必ず実行される。
【００５０】
＜高速印刷モードから通常印刷モードへの自動復帰＞
さらに、本実施形態においては、上記のように単純に２つの印刷モードを選択的に切り替えるのにとどまらず、例えば上記通常印刷モードの状態で（前述の操作信号が入力されたことを契機に）上記高速印刷モードに切り替えられた後、所定単位（この例では所定の印刷枚数。例えばＡ４用紙の１ページ若しくは数ページ等）の被印字媒体Ｓに対する印字形成が終了したら、上記通常印刷モードに復帰するようにしてもよい。
【００５１】
＜制御手順＞
上記高速印刷モードから通常印刷モードへの自動復帰機能を実行するためにＣＰＵ５２によって実行される制御手順を図５、図６により説明する。
【００５２】
図５に示すフローにおいて、まず、ステップＳ１０において、ＣＰＵ５２は、高速印刷モード切替フラグＦ＝０に初期化し、ステップＳ２０に移行する。
【００５３】
ステップＳ２０では、ＣＰＵ５２は、例えば携帯型プリンタ１の適宜の操作部（若しくは外部のパソコンでの適宜の入力操作）の操作に応じた、被印字媒体Ｓへ印刷する上記印刷データと、印刷する被印字媒体Ｓの枚数と、を入力する。
【００５４】
その後、ステップＳ３０では、ＣＰＵ５２は、上記通常印刷モードの実行、若しくは、上記高速印刷モードの実行、の選択的な実行指示を入力するモード指示入力処理を実行する。
【００５５】
上記ステップＳ３０のモード指示入力処理の詳細手順を図６を参照して説明する。図６において、まず、ステップＳ３１で、ＣＰＵ５２は、携帯型プリンタ１のＤＣジャック３３にＡＣアダプタ３４が装着（接続）されたか否かを公知の適宜の手法により判定する。装着されていなければ、ステップＳ３１の判定が満たされず（Ｓ３１：ＮＯ）、後述のステップＳ３６に移行する。装着されている場合にはステップＳ３１の判定が満たされ（Ｓ３１：ＹＥＳ）、ステップＳ３２に移行する。
【００５６】
ステップＳ３２では、ＣＰＵ５２は、例えば上記モード切替ボタン４０を介し、操作者が高速印刷モードへの切替指示操作を行ったか否かを判定する。切替指示操作がなされていなければ、ステップＳ３２の判定が満たされず（Ｓ３２：ＮＯ）、後述のステップＳ３７に移行する。切替移行の指示操作がなされた場合にはステップＳ３２の判定が満たされ（Ｓ３２：ＹＥＳ）、ステップＳ３３に移行する。
【００５７】
ステップＳ３３では、ＣＰＵ５２は、上記電池収納部１０５に電池ＢＴが装着されているか否かを公知の適宜の手法により判定する。電池ＢＴが装着されていなければ、ステップＳ３３の判定が満たされず（Ｓ３３：ＮＯ）、後述のステップＳ３７に移行する。電池ＢＴが装着されている場合にはステップＳ３３の判定が満たされ（Ｓ３３：ＹＥＳ）、ステップＳ３４に移行する。
【００５８】
ステップＳ３４では、ＣＰＵ５２は、（ＡＣアダプタ３４の装着状態で通常ならそのまま通常印刷モードとなるはずが）操作者の意図によって高速印刷モードが指示されている（上記ステップＳ３２参照）ことに対応し、上記高速印刷モード切替フラグをＦ＝１とし、ステップＳ３５に移行する。
【００５９】
ステップＳ３５では、ＣＰＵ５２は、モード指示を、高速印刷モードに対応した「Ｈ」に設定する。その後、後述の図５のステップＳ４０に移行する。
【００６０】
一方、上記ステップＳ３１の判定が満たされず移行したステップＳ３６では、上記ステップＳ３３と同様に、ＣＰＵ５２は、上記電池収納部１０５に電池が装着されているか否かを公知の手法により判定する。電池が装着されていなければ、ステップＳ３６の判定が満たされず（Ｓ３６：ＮＯ）、そのまま図５のステップＳ４０に移行する。電池が装着されている場合にはステップＳ３６の判定が満たされ（Ｓ３６：ＹＥＳ）、上記ステップＳ３５に移行してモード指示を「Ｈ」に設定する。その後、図５のステップＳ４０に移行する。
【００６１】
一方、上記ステップＳ３２若しくはステップＳ３３の判定が満たされずに移行した上記ステップＳ３７では、ＣＰＵ５２は、ＡＣアダプタ３４装着状態で特に操作者より高速印刷モードへの切替が指示されなかったこと、若しくは、当該切替が指示されたものの電池収納部１０５に電池ＢＴが収納されていなかったこと、に対応して、モード指示を、通常印刷モードに対応した「Ｌ」に設定する。その後、後述の図５のステップＳ４０に移行する。
【００６２】
図５に戻り、上記のようにしてステップＳ３０が完了したら、ステップＳ４０に移る。ステップＳ４０では、ＣＰＵ５２は、上記ステップＳ３０で、モード指示が「Ｈ」であるか否かを判定する。モード指示が「Ｌ」であればステップＳ４０の判定が満たされず（Ｓ４０：ＮＯ）、後述のステップＳ１００に移行する。モード指示が「Ｈ」であった場合にはステップＳ４０の判定が満たされ（Ｓ４０：ＹＥＳ）、ステップＳ５０に移行する。
【００６３】
ステップＳ５０では、ＣＰＵ５２は、上記高速印刷モード切替フラグＦが１であるか否かを判定する。Ｆ＝０であった場合は、ステップＳ５０の判定が満たされず（Ｓ５０：ＮＯ）、後述のステップＳ７０に移行する。一方、前述のようにＡＣアダプタ３４の装着状態において操作者が意図的に高速印刷モードを指示することでＦ＝１となっている（上記ステップＳ３４参照）場合には、ステップＳ５０の判定が満たされ（Ｓ５０：ＹＥＳ）、ステップＳ６０に移行する。
【００６４】
ステップＳ６０では、ＣＰＵ５２は、上記所定枚数（所定単位）の被印刷用紙Ｓの印刷が終了しているか否かを判定する。上記のような操作者の意図的な高速モードへの切替指示状態で、上記所定枚数の印刷が完了していた場合にはステップＳ６０の判定が満たされ（Ｓ６０：ＹＥＳ）、後述のステップＳ１１０に移行する。所定枚数の印刷が完了していなければ、ステップＳ６０の判定が満たされず（Ｓ６０：ＮＯ）、ステップＳ７０に移行する。
【００６５】
ステップＳ７０では、ＣＰＵ５２は、印刷モードを上記高速印刷モードに設定する。すなわち、ＣＰＵ５２は、低レベル信号Ｌの第１制御信号Ｓ１を第１スイッチング回路Ｇ１に出力すると共に、高レベル信号Ｈの第２制御信号Ｓ２を第２スイッチング回路Ｇ２に出力する。これにより、第１スイッチング回路Ｇ１が非導通状態、第２スイッチング回路Ｇ２が導通状態となる。さらに、ＣＰＵ５２は、高レベル信号Ｈの第３制御信号Ｓ３を昇圧回路１０３へ出力し、これによって昇圧回路１０３は昇圧導通状態となる。以上の結果、上記ＡＣアダプタ３４接続による電圧供給可能な外部電源装置からの給電が遮断され、電池収納部１０５の電池からの電力が昇圧されて、定電圧回路５１、駆動モータ５３、サーマルラインヘッド１１２等に供給される。その後、後述のステップＳ８０に移る。
【００６６】
一方、上記ステップＳ４０の判定が満たされずに移行したステップＳ１００では、ＣＰＵ５２は、モード指示が「Ｌ」であるか否かを判定する。モード指示が「Ｌ」でなければ、ステップＳ１００の判定が満たされず（Ｓ１００：ＮＯ）、ステップＳ１２０に移行して（例えば上記第３スイッチング回路Ｇ３を導通状態として）ＬＥＤ９によりエラー表示を行ってから、このフローを終了する。
【００６７】
上記モード指示が「Ｌ」であった場合にはステップＳ１００の判定が満たされ（Ｓ１００：ＹＥＳ）、ステップＳ１１０に移行する。なお、前述したように、上記ステップＳ６０の判定が満たされている場合（上記操作者の意図的な高速モードへの切替指示状態で上記所定枚数の印刷が完了している場合）も、ステップＳ１１０に移行する。ステップＳ１１０では、ＣＰＵ５２は、印刷モードを上記通常印刷モードに設定する。すなわち、ＣＰＵ５２は、高レベル信号Ｈの第１制御信号Ｓ１を第１スイッチング回路Ｇ１に出力すると共に、低レベル信号Ｌの第２制御信号Ｓ２を第２スイッチング回路Ｇ２に出力する。これにより、第１スイッチング回路Ｇ１が導通状態、第２スイッチング回路Ｇ２が非導通状態となる。さらにＣＰＵ５２は、低レベル信号Ｌの第３制御信号Ｓ３を昇圧回路１０３へ出力し、これによって昇圧回路１０３は直圧導通状態となる。以上の結果、電池収納部１０５の電池ＢＴからの給電が遮断され、上記ＡＣアダプタ３４を介し、外部電源装置からの電力が、定電圧回路５１、駆動モータ５３、サーマルラインヘッド１１２等に供給される。その後、後述のステップＳ８０に移る。
【００６８】
ステップＳ８０では、ＣＰＵ５２は、この時点で設定されている印刷モード（上記ステップＳ７０で設定された高速印刷モード若しくは上記ステップＳ１１０で設定された通常印刷モード）にて、上記ステップＳ２０で入力された印刷データを被印字媒体Ｓに印刷する印刷処理を実行する。
【００６９】
その後、ステップＳ９０で、ＣＰＵ５２は、上記ステップＳ８０での印刷処理が、上記ステップＳ２０で入力された枚数の全てについて終了したか否かを判定する。全枚数の印刷がまだ終了していなければ、ステップＳ９０の判定が満たされず（Ｓ９０：ＮＯ）、前述のステップＳ３０に戻って、同様の手順を繰り返す。全枚数の印刷が終了した場合にはステップＳ９０の判定が満たされ（Ｓ９０：ＹＥＳ）、このフローを終了する。
【００７０】
以上のフローを実行することにより、通常印刷モードの状態（すなわちＡＣアダプタ３４が装着された状態）において操作者が高速印刷モードへの移行指示操作をした場合には、その後、特に通常印刷モードへの復帰指示操作をしなくても、所定単位（上記の例では所定の印刷枚数。あるいは所定の印字長さや所定の印字範囲面積等で規定してもよい）の印字形成後に、自動的に通常印刷モードに復帰することができる。
【００７１】
以上説明したように、本実施形態の携帯型プリンタ１おいては、第１スイッチング回路Ｇ１に第１制御信号Ｓ１によって導通・遮断を切り替え可能な第１スイッチ素子１０１が備えられ、第２スイッチング回路Ｇ２に第２制御信号Ｓ２によって導通・遮断を切り替え可能な第２スイッチ素子１０２が備えられている。これにより、電池ＢＴからの電源供給と（ＡＣアダプタ３４を介した）外部電源装置からの電源供給とを独立して制御することができる。すなわち、上述したように、例えば、ＡＣアダプタ３４が装着されかつ電池収納部１０５に電池ＢＴが収納された状態では、ＡＣアダプタ３４を介した外部電源装置からの給電を優先し、その後、高速印刷モードの実行が指示された場合（あるいは外部電源装置の給電端子が抜かれた場合でもよい）には、電池収納部１０５の電池ＢＴからの給電を優先するよう切り替える、等が可能となる。以上の結果、操作者にとっての利便性を向上することができる。
【００７２】
また、本実施形態では特に、第２スイッチング回路Ｇ２と定電圧回路５１との間に、電池ＢＴからの端子電圧を昇圧するための昇圧回路１０３が接続されている。これにより、電池ＢＴが消耗して端子電圧が低下してきた場合であっても、負荷側には所定高さ（上記の例では１５Ｖ）の電圧を確実に供給することができる。
【００７３】
このとき、本実施形態では特に、上記したように、上記外部電源装置から電源供給を行って通常印刷速度による印刷を行う通常印刷モードと、電池ＢＴから電源供給を行って高速印刷速度による印刷を行う高速印刷モードと、を切り替えて利用することができる。その際、上記ＣＰＵ５２が、入力される上記操作信号に応じて上記通常印刷モード又は上記高速印刷モードを選択的に実行するように、第１〜第３制御信号Ｓ１〜Ｓ３を出力する。この結果、それら２つの印刷モードを円滑に切り替えることができる。
【００７４】
また、本実施形態では特に、上記図５及び図６のフローを用いて上述したように、通常印刷モードの状態において操作者が高速印刷モードへの移行指示操作をした後は、特に通常印刷モードへの復帰指示操作をしなくても、上記所定単位の印字形成後に自動的に通常印刷モードに復帰することができる。特に、高速印刷モードでは電池ＢＴから負荷側に大電流を供給することから、誤って復帰指示操作を失念することにより電池ＢＴが激しく消耗するのを確実に防止することができる。
【００７５】
なお、本発明は、上記実施形態に限られるものではなく、その趣旨及び技術的思想を逸脱しない範囲内で種々の変形が可能である。以下、そのような変形例を順を追って説明する。
【００７６】
（１）電池の消耗度に応じて通常印刷モードへ自動復帰させる場合
すなわち、上記実施形態においては、上記所定単位の印刷完了を契機に高速印刷モードから通常印刷モードに復帰させたが、これに限られず、上記電池ＢＴの消耗がある程度に達したことを契機に高速印刷モードから通常印刷モードに復帰するようにしてもよい。
【００７７】
図７は、本変形例においてＣＰＵ５２により実行される制御手順を表すフローチャートである。図７に示すフローでは、上記図５のステップＳ６０に代えて、ステップＳ６０′が設けられる。ステップＳ６０′では、ＣＰＵ６２は、電池の消耗度が予め定められた所定のしきい値に達したか否かを判定する。すなわち、前述したように、ＣＰＵ５２のＡＤ変換入力ポートには、電池ＢＴの端子電圧が検出電圧ＶＢとしてＣＰＵ５２に入力されている（ＣＰＵ５２の検出手段としての機能）。ステップＳ６０′では、上記入力された検出電圧ＶＢに基づき、上記電池収納部１０５に収納された電池ＢＴの電圧降下量が、予め定められた所定値に達したか否かにより、当該電池ＢＴの消耗度が判定される。上記電圧降下量が上記所定値以上となったら、ＣＰＵ５２によって電池ＢＴの消耗度が上記所定のしきい値に達したとみなされてステップＳ６０′の判定が満たされ（Ｓ６０′：Ｙｅｓ）、ステップＳ１１０に移行し、通常印刷モードに復帰する。
【００７８】
上記ステップＳ６０′以外は図６と同様であり、説明を省略する。
【００７９】
本変形例においては、通常印刷モードの状態において操作者が高速印刷モードへの移行指示操作をした後は、特に通常印刷モードへの復帰指示操作をしなくても、電池がある程度消耗したら自動的に復帰する。これにより、上記同様、誤って電池が激しく消耗するのを確実に防止することができる。
【００８０】
（２）切替のその他バリエーション
なお、以上においては、第１制御信号Ｓ１、第２制御信号Ｓ２、第３制御信号について、すべて高レベル信号Ｈと低レベル信号Ｌによる切替を行ったが、これに限られない。すなわち、第３制御信号Ｓ３についての高レベル信号Ｈ／低レベル信号Ｌの切替制御が行われていれば（電池ＢＴの装着を前提として）第２制御信号Ｓ２は常時高レベル信号Ｈの状態でもあってもよい。すなわち、図３に示した上記構成では、逆流防止ダイオード５０Ａ，５０Ｂを介したいわゆるワイヤードＯＲ接続（複数の出力信号をダイオードを用いて結線した接続態様）となっており、ＡＣアダプタ３４側と電池ＢＴ側とのうち、電圧の高い方から自動的に電力が供給されるためである。
【００８１】
あるいは、第２制御信号Ｓ２は上記のように常には高レベル信号Ｈの状態にしておいて、電池ＢＴの出力電圧（端子電圧）が所定値（例えば４．２［Ｖ］）未満となったら、低レベル信号Ｌとするようにしてもよい。この場合、電池ＢＴの過放電による劣化を防止できる効果がある。
【００８２】
（３）その他
なお、以上において、図３の図中に示す矢印は信号の流れの一例を示すものであり、信号の流れ方向を限定するものではない。
【００８３】
また、図５、図６、図７に示すフローチャートは本発明を上記フローに示す手順に限定するものではなく、発明の趣旨及び技術的思想を逸脱しない範囲内で手順の追加・削除又は順番の変更等をしてもよい。
【００８４】
また、以上既に述べた以外にも、上記実施形態や各変形例による手法を適宜組み合わせて利用しても良い。
【００８５】
その他、一々例示はしないが、本発明は、その趣旨を逸脱しない範囲内において、種々の変更が加えられて実施されるものである。
【符号の説明】
【００８６】
１              携帯型プリンタ（印刷装置）
９              ＬＥＤ
３３            ＤＣジャック（受電端子）
３４Ｅ          ＤＣプラグ（給電端子）
５１            定電圧回路（入力部）
５２            ＣＰＵ
５３            駆動モータ
５５            ＥＥＰＲＯＭ
１０１          第１スイッチ素子
１０２          第２スイッチ素子
１０３          昇圧回路
１０５          電池収納部
１１１          搬送ローラ（搬送手段）
１１２          サーマルラインヘッド（印字手段）
ＢＴ            電池
Ｇ１            第１スイッチング回路
Ｇ２            第２スイッチング回路
Ｇ３            第３スイッチング回路
Ｓ              被印字媒体
Ｓ１            第１制御信号
Ｓ２            第２制御信号
Ｓ３            第３制御信号
【図１】
0006432475.tif 000002
【図２】
0006432475.tif 000003
【図３】
0006432475.tif 000004
【図４】
0006432475.tif 000005
【図５】
0006432475.tif 000006
【図６】
0006432475.tif 000007
【図７】
0006432475.tif 000008